(57)【特許請求の範囲】
【請求項１】
フラッシュモジュールであって、
それを連動させオープン位置或いはクローズ位置まで旋回させる第一心棒と窪みからなるフラッシュと、
前記フラッシュを前記クローズ位置へ収納する収納空間を有するベースと、
孔部を有するスライド部からなり、前記クローズ位置に位置する時、それは前記スライド部を第一位置へ固定させる電磁弁と、
前記スライド部に当接される導槽を有し、前記クローズ位置に位置する時、それの上端は前記フラッシュの下辺に抵抗して当接されるプッシュ部と、
Ｌ字型を呈し、それの一端はフック部を有し、前記クローズ位置で前記窪み内にフックし固定され、それの他端は前記孔部を貫通するピボットを有し、またそれはそれを連動させて旋回させる第二心棒を有するフックと、
前記ベースと前記ピボットに対して取り付けられ、前記ピボットに弾力を施す第一弾性部材と、
前記ベースと前記フラッシュに対して取り付けられ、前記フラッシュに弾力を施す第二弾性部材
を含むことを特徴とするフラッシュモジュール。
【請求項２】
前記電磁弁が前記スライド部を解放すると、前記第一弾性部材は前記ピボットを利用して前記スライド部を推進させ第二位置まで移動させ、ここでは前記ピボットは前記フックを連動させ前記第二心棒を中心に旋回させ、前記フック部を前記フラッシュの前記窪みから外させ、前記フラッシュを前記第二弾性部材と前記第一心棒により前記オープン位置まで旋回させることを特徴とする、請求項１に記載のフラッシュモジュール。
【請求項３】
前記フラッシュが前記第二弾性部材の弾力よりも大きい反発力を受けると、前記フラッシュは前記第一心棒を中心に旋回し、前記下辺を前記プッシュ部に当接させ、前記プッシュ部を連動させて前記導槽と前記スライド部を前記第一位置まで推進させ、ここでは前記スライド部の前記孔部は前記ピボットと前記フックを連動させて前記第二心棒を中心に旋回させ、前記フック部は前記フラッシュの前記窪み内に嵌入され、前記フラッシュを前記クローズ位置に固定させることを特徴とする、請求項１または請求項２のいずれかの１項に記載のフラッシュモジュール。
【請求項４】
前記フラッシュモジュールはアームを有するスイッチをさらに含み、また前記フラッシュはリブアームをさらに含み、前記フラッシュが前記リブアームを連動させて前記クローズ位置と前記オープン位置間を移動させると、前記リブアームは前記アームを作動させ、前記フラッシュの位置確認を行うことを特徴とする、請求項１から３のいずれかに記載のフラッシュモジュール。
【請求項５】
前記フラッシュは停止部をさらに含み、前記フラッシュの旋回時に、前記停止部は連動して旋回し、前記ベースの側壁に当接されることを特徴とする、請求項１から４のいずれかに記載のフラッシュモジュール。
【請求項６】
フラッシュモジュールであって、
前記フラッシュを連動させて旋回させる第一心棒を有するフラッシュと、
前記第一心棒と前記フラッシュが連結することで収納空間を有し、前記収納空間は前記フラッシュを収納するベースと、
前記ベース上に設置され、孔部を有するスライド部からなる電磁弁と、
前記電磁弁上に安置され、前記スライド部に当接される導槽を有するプッシュ部と、
第一端、第二端と第二心棒を有し、前記第一端は前記収納空間中に前記フラッシュをフックし固定させるフック部を有し、前記第二端は前記孔部を貫通するピボットを有し、それを前記ベースと前記スライド部に緊合させ、またそれを前記第二心棒を中心に旋回させるフックと、
前記ピボットと前記ベース、および前記ベースと前記フラッシュにそれぞれ固定される複数の捻転部材と
を含むことを特徴とするフラッシュモジュール。
【請求項７】
オープン状態をさらに含み、前記電磁弁が前記スライド部を解放すると、前記捻転部材は前記ピボットを利用し前記スライド部を牽引し、ここでは前記ピボットは前記フックを連動させて前記第二心棒を中心に旋回させ、前記フック部を前記フラッシュの窪みから外させ、前記フラッシュを前記捻転部材と前記第一心棒によりオープン位置まで旋回させることを特徴とする、請求項６に記載のフラッシュモジュール。
【請求項８】
クローズ状態をさらに含み、前記フラッシュが旋回し前記プッシュ部を推進させ、前記プッシュ部が前記導槽と前記スライド部を連動させて推進させ、前記スライド部と前記電磁弁を結合させ、ここでは前記スライド部の前記孔部は前記ピボットと前記フックを連動させて前記第二心棒を中心に旋回させ、前記フック部を前記フラッシュの窪みにフックさせて固定させ、前記フラッシュをクローズ位置に固定させることを特徴とする、請求項６又は７に記載のフラッシュモジュール。
【請求項９】
影像撮影装置であって、
環境光の明度を感測する光感知器と、
前記環境光の明度に応じてフラッシュ信号を発信させる演算ユニットと、
フラッシュモジュールを含み、
前記フラッシュモジュールはさらに、
窪みと第一心棒からなり、ここではそれは前記第一心棒を利用しオープン位置とクローズ位置間を移動するフラッシュと、
収納空間を有し、前記クローズ位置に前記フラッシュを収納させるベースと、
スライド部を有し、前記スライド部は孔部を有し、前記クローズ位置に位置する時、前記スライド部とそれは結合される電磁弁と、
前記スライド部に当接され、前記スライド部に嵌合される導槽を有し、前記クローズ位置に位置する時、それは前記フラッシュの下辺に抵抗するように当接されるプッシュ部と、
第一端、第二端と第二心棒からなり、前記第一端はフック部を有し、前記クローズ位置で前記窪みに緊合され、前記第二端は前記孔部を貫通するピボットを有し、またそれは前記第二心棒を利用して旋回を行うフックと、
前記ベースと前記ピボットに対して取り付けられる第一弾性部材と、
前記ベースと前記フラッシに対して取り付けられる第二弾性部材を含むことを特徴とする影像撮影装置。
【請求項１０】
前記影像撮影装置がフォーカス作業を行うと、前記演算ユニットは前記環境光の明度を基に前記フラッシュモジュールを作動させるか否かを判断し、作動させるべきと判断すると、前記フラッシュは前記オープン位置まで旋回されることを特徴とする、請求項９に記載の影像撮影装置。
【請求項１１】
前記電磁弁が前記スライド部を解放すると、前記第一弾性部材は前記ピボットにより前記スライド部を連動させて移動させ、また前記ピボットは前記フックを連動させ前記第二心棒を中心に旋回させ、ここでは前記フック部は前記フラッシュの前記窪みから外され、前記フラッシュを前記第一心棒を利用させて前記オープン位置まで旋回させることを特徴とする、請求項９または１０のいずれかの１項に記載の影像撮影装置。
【請求項１２】
前記フラッシュが前記第二弾性部材の捻転力に対抗する反発力を受けると、前記フラッシュの下辺は前記プッシュ部に当接され、前記プッシュ部に前記導槽を経由させて前記スライド部を推進させ前記電磁弁と結合させ、ここでは前記スライド部の前記孔部は前記ピボットと前記フックを連動させて前記第二心棒を中心に旋回させ、前記フック部を前記フラッシュの前記窪みに嵌入させ、前記フラッシュは前記クローズ位置に固定されることを特徴とする、請求項９から１１のいずれかに記載の影像撮影装置。
【請求項１３】
前記フラッシュモジュールはスイッチをさらに含み、前記スイッチはアームを有し、また前記フラッシュはリブアームをさらに含み、前記フラッシュは前記リブアームを連動させて旋回させ、前記リブアームに前記アームを作動させ、前記フラッシュの位置確認信号を前記演算ユニットに伝送することを特徴とする、請求項９から１２のいずれかに記載の影像撮影装置。
【請求項１４】
前記光感知器は光電転換ユニットであることを特徴とする、請求項９から１３のいずれかに記載の影像撮影装置。
【発明の詳細な説明】
【技術分野】
【０００１】
本発明は、フラッシュモジュールとフラッシュモジュールを応用した影像撮影装置に関する。
【背景技術】
【０００２】
撮影術において、フラッシュ(flash)は人工的に閃光を創り出す装置であり、撮影する景色(scene)を照らす。比較的暗い場面、例えば夜間撮影等で、十分な露光(exposure)明度を供給するために、或いは、擬似的なリアルな光線が必要な場面でフラッシュが使用される。このほか、高速移動する対象の影像を撮影するため、或いは光線の品質を変化させるために、フラッシュが使用される。
【０００３】
昨今のカメラ設計においては自動起動方式のフラッシュが主流である。フラッシュの起動と写真撮影は同時進行が求められ、そのために、同期ケーブル、無線信号、或いは光感応等の方式でフラッシュを起動させる。
【０００４】
内蔵式(built-in)の自動ポップアップ(pop-up)フラッシュユニットの構造設計では、カメラ構造の収納空間に内蔵されるフラッシュを有し、フラッシュ起動時に、フラッシュは収納空間から発光位置までポップアップする。ユーザーがシャッターを押すのと同期してフラッシュは発光する。
【０００５】
内蔵式フラッシュユニットの為の空間は限られるため、最少の部材を利用してフラッシュの開閉動作を完成させ、カメラの小型軽量化の流れに対応しなければならない。
【発明の概要】
【発明が解決しようとする課題】
【０００６】
本発明は、このような従来の問題に鑑みてなされたものである。上記課題解決のため、本発明は、最少の部材を利用し、フラッシュの開閉動作を完成させ、小型軽量化の流れに対応する内蔵式のフラッシュユニットを提供することを主目的とする。
【課題を解決するための手段】
【０００７】
上述した課題を解決し、目的を達成するために、本発明に係るフラッシュモジュールはフラッシュ、ベース、電磁弁、プッシュ部、フック、第一弾性部材及び第二弾性部材を含む。フラッシュは窪みと第一心棒を含み、第一心棒はフラッシュを連動させてオープン位置或いはクローズ位置まで旋回させる。ベースは収納空間を有し、これを用いてクローズ位置でフラッシュを収納する。電磁弁は孔部を有するスライド部を含み、クローズ位置に位置する時、電磁弁はスライド部を第一位置で固定させる。プッシュ部はスライド部に当接される導槽を有し、クローズ位置に位置する時、プッシュ部の上端はフラッシュの
下辺に抵抗するように当接される。フックはＬ字型を呈し、フックの一端はフック部を有し、クローズ位置で窪み内にフックし固定され、フックの他端は孔部を貫通するピボットを有し、またフックはフックを連動させて旋回させる第二心棒を有する。第一弾性部材は両端を有し、その一端はベースに固定され、他端はピボットに固定され、第一弾性部材はピボットに対して弾力を施す。第二弾性部材はベースとフラッシュの間に設置され、フラッシュに対して弾力を施す。
【０００８】
本発明によれば、本発明に係る他の実施形態ではフラッシュモジュールを提供し、これはフラッシュ、ベース、電磁弁、プッシュ部、フックを含む。フラッシュは第一心棒を有し、第一心棒はフラッシュを連動させて旋回させる。ベースは第一心棒によりフラッシュに連結され、収納空間を有し、収納空間はフラッシュを収納する。電磁弁はベース上に設置され、孔部を有するスライド部を含む。プッシュ部は電磁弁上に安置され、スライド部に当接される導槽を有する。フックは第一端、第二端及び第二心棒を有し、その第一端はフック部を有し、収納空間中でフラッシュをフックして固定し、第二端は孔部を貫通するピボットを有し、フックをベースとスライド部に緊合させ、またフックは第二心棒を中心に旋回する。
【０００９】
本発明によれば、本発明に係る他の実施形態では、環境光の明度を感測する光感知器と、環境光の明度に応じフラッシュ信号を発信させる演算ユニットと、前述の両実施形態の内の一つのフラッシュモジュールを含む影像撮影装置を提供する。
【００１０】
本発明に係る実施形態はフラッシュモジュールを提供し、極少量の部材でフラッシュの開閉を完成させ、また、応用される影像撮影装置については、各部材の接続関係は垂直方向となるため、影像撮影装置の厚さを有効的に減少させ、サイズの最小化の目的を達成させる。
【図面の簡単な説明】
【００１１】
【図１Ａ】本発明に係る第一実施形態のフラッシュモジュールのクローズ状態の立体図である。
【図１Ｂ】本発明に係る第一実施形態のフラッシュモジュールのオープン状態の立体図である。
【図２】本発明に係る第一実施形態のフラッシュモジュールの主要部材の分解図である。
【図３Ａ】本発明に係る第一実施形態のフラッシュモジュールのクローズ状態の主要部材のある一つの視角からの立体図である。
【図３Ｂ】本発明に係る第一実施形態のフラッシュモジュールのクローズ状態の主要部材の別の視角からの立体図である。
【図３Ｃ】本発明に係る第一実施形態のフラッシュモジュールのオープン状態の主要部材の立体図である。
【図４Ａ】本発明に係る第一実施形態フラッシュモジュールのフラッシュのクローズ位置時にリブアーム１０ｅがアーム８０ａを作動させた場合の詳細な位置を示す。
【図４Ｂ】本発明に係る第一実施形態フラッシュモジュールのフラッシュのオープン位置時にリブアーム１０ｅがアーム８０ａを作動させた場合の詳細な位置を示す。
【図５Ａ】本発明に係る第一実施形態のフラッシュモジュールの主要部材のクローズ状態の側視図である。
【図５Ｂ】本発明に係る第一実施形態のフラッシュモジュールの主要部材のオープン状態の側視図である。
【図６Ａ】本発明に係る第一実施形態のフラッシュモジュールのフラッシュの旋回角度の制御方法の正面図である。
【図６Ｂ】本発明に係る第一実施形態のフラッシュモジュールのフラッシュの旋回角度の制御方法の図６Ａ中のＡ−Ａ’方向からの断面図である。
【図７】本発明に係る第二実施形態の影像撮影装置による第一実施形態のフラッシュモジュールの応用を示す。
【発明を実施するための形態】
【００１２】
以下に図面を参照して本発明を実施するための形態について、詳細に説明する。なお、本発明は、以下に説明する実施形態に限定されるものではない。また、説明書では、読者が本発明を完全に理解出来るよう、詳細な状況について多くの説明を提供するが、然しながら、本発明はこれらを部分的に省略、或いはこれら詳細な状況の全てを前提として実施される。このほか、周知のステップ或いは部材についてはその詳細について述べず、本発明への不必要な制限を回避する。図式中の同様或いは類似する部材については同様或いは類似の符号を用い表示する。特に注意が必要なのは、図式は意味を述べる為のものに過ぎず、特別に説明するものを除いては、決して部材の実際のサイズ或いは数量を示すものでは無い。
【００１３】
図１Ａと図１Ｂは本発明の実施形態に係るフラッシュモジュール１の立体図であり、図１Ａはフラッシュモジュール１のクローズ状態を示し、図１Ｂはフラッシュモジュール１のオープン状態を示す。本発明に係る実施形態のフラッシュモジュール１は、例えばカメラ或いはビデオカメラ等の影像撮影装置に応用される。ここではフラッシュモジュール１はフラッシュ１０を含み、フラッシュ１０を使用し撮影する風景を照らす時、フラッシュ１０は図１Ａに示すクローズ位置から、図１Ｂに示すオープン位置まで起動する。ユーザーがシャッターボタンを押した後、フラッシュ１０は同期して閃光を発する。
【００１４】
上述の実施形態のフラッシュモジュール１は、連動部材を利用しフラッシュ１０の終了と自動起動の動作を完成させ、以下にそれについて詳述する。まずフラッシュモジュール１の主要部材について説明する。図２は上述の実施形態のフラッシュモジュール１の主要部材の分解図であり、これはフラッシュ１０、ベース２０、電磁弁３０、第一トーションスプリング４０、プッシュ部５０、フック６０、第二トーションスプリング７０、スイッチ８０を含む。
【００１５】
各部材間の接続関係を説明する目的で、図３Ａから図３Ｃにかけては上述の実施形態のフラッシュモジュール１の主要部材の立体図を示し、この中で図３Ａと図３Ｂはクローズ状態のある二つの視角からの立体図であり、図３Ｃはオープン状態の立体図であり、また、より明確に図示する為に、ここではベース２０を省略する。
【００１６】
同時に図２、図３Ａ、図３Ｂ及び図３Ｃを示す。フラッシュ１０は少なくともカートリッジ１０ａ、窪み１０ｂ、対称な二つの軸孔１０ｃ、第一心棒１０ｄを有する。次に、ベース２０は収納空間２０ａ、開口部２０ｂ、二つのリブ２０ｃを有し、具体的には各リブ２０ｃはリブ孔２０ｄを有する。ここでは第一心棒１０ｄはフラッシュ１０の二つの軸孔１０ｃとベース２０の二つのリブ孔２０ｄを同時に貫通し、フラッシュ１０とベース２０を相互に接続させ、フラッシュ１０を第一心棒１０ｄを中心に旋回させる。このほか、第二トーションスプリング７０はベース２０の二つのリブ２０ｃの間に設置され、また同時に第一心棒１０ｄにより貫通される。具体的には、第二トーションスプリング７０は、ベース２０の第一凹型槽２０ｈとフラッシュ１０の第二凹型槽１０ｇにそれぞれ嵌入する第三端７０ａと第四端７０ｂを有する。これにより、第二トーションスプリング７０は永遠に正のｙ軸方向に推進或いは旋回捻転し、これが抑圧を受けなければ、フラッシュ１０を連動させて第一心棒１０ｄを中心に、ｘｙ平面上で時計回りに旋回させる。実際には第二トーションスプリング７０は弾性部材或いは捻転部材で代用可能であるが、これらに制限されるわけではない。
【００１７】
このほか、再び同時に図２、図３Ａ、図３Ｂ及び図３Ｃを示す。フック６０はフック部６０ａ、第二心棒６０ｂ、軸孔６０ｃ、ピボット６０ｄを有する。ここでは第二心棒６０ｂは軸孔６０ｃを貫通し、フック６０を連動させてｘｙ平面上で旋回させる。フック部６０ａがフラッシュ１０のカートリッジ１０ａの窪み１０ｂ内に嵌入すると、フラッシュ１０はクローズ位置に位置され、フック部６０ａはカートリッジ１０ａから外れ、フラッシュ１０はオープン位置へ位置される。クローズ位置に位置する時には、フラッシュ１０はベース２０の収納空間２０ａ内に収納され、カートリッジ１０ａはベース２０の開口部２０ｂ中に収納される。
【００１８】
再び図２に示す、電磁弁３０上はｙ軸方向に沿って移動するスライド部３０ａを有し、スライド部３０ａは孔部３０ｂを有する。本実施形態では、電磁弁３０は通常閉鎖される電磁弁であり、その内側には磁石（図示せず）と磁界（図示せず）を含む。電磁弁３０が導電しない時は、スライド部３０ａは磁石の磁力により吸着されて固定され電磁弁３０と結合し、電磁弁３０の導電後は、磁界は導通により磁石の磁力に反発する磁力を生み、この時磁界が産出した磁力は磁石の磁力と相互に打ち消しあい、スライド部３０ａは磁力による再度の束縛は受けない。同時に図３Ａ、図３Ｂ及び図３Ｃを示し、この時もしスライド部３０ａに対してｙ軸方向の外力が加えられると、スライド部３０ａを連動させてｙ軸方向に沿って移動させる。この目的達成の為に、Ｌ字型の外観を呈するフック６０の一端はピボット６０ｄを有し、ピボット６０ｄの他端はスライド部３０ａの孔部３０ｂを貫通し、第一トーションスプリング４０はベース２０の凸軸２０ｆを貫通し、また第一端４０ａと第二端４０ｂを有し、第一端４０ａはベース２０の凸型ブロック２０ｇとベース２０により形成される凹型槽にフックし固定され、第二端４０ｂはスライド部３０ａの外側でフック６０のピボット６０ｄにフックし固定され、このために第一トーションスプリング４０はピボット６０ｄによりスライド部３０ａに対し永遠に正のｙ軸方向へ向かう推進或いは旋回捻転する力を加える。このため、もし前述のスライド部３０ａと電磁弁３０の磁力が消失すると、第一トーションスプリング４０はスライド部３０ａを連動させて正のｙ軸方向へ移動させる。実用上は、第一トーションスプリング４０は弾性部材或いは捻転部材で代用可能であるが、これらに制限されるわけではない。
【００１９】
また、図２に示す、プッシュ部５０はスライド部３０ａ上に設置され、またプッシュ部５０は導槽５０ａを有し、その輪郭とスライド部３０ａは一致する。これにより、スライド部３０ａが第一トーションスプリング４０を経由し正のｙ軸方向へ移動する時、導槽５０ａは同時にスライド部３０ａの推進を経てプッシュ部５０を連動させて正のｙ軸方向へ移動させ、反対に、プッシュ部５０に対し負のｙ軸方向に推進する時、プッシュ部５０は導槽５０ａを経てスライド部３０ａを連動させて負のｙ軸方向へ移動させる。具体的には、図３Ａに示すように、フラッシュ１０がクローズ位置に位置する時、プッシュ部５０の
上端はフラッシュ１０の下辺に抵抗するよう当接される。
【００２０】
最後に、図３Ｂと図３Ｃに示す、スイッチ８０はフラッシュ１０の他側面に設置され、フラッシュ１０の位置の感測に用いられる。フラッシュ１０はリブアーム１０ｅさらにを有し、スイッチ８０はアーム８０ａを有し、ここではフラッシュ１０の位置が変位すると、リブアーム１０ｅを連動させてアーム８０ａを作動させ、これによりフラッシュ１０の位置が感測できる。
【００２１】
図４Ａと図４Ｂはリブアーム１０ｅがアーム８０ａを作動させる詳細な状況をさらに図示し、ここでは図４Ａはクローズ位置にあるフラッシュ１０を示し、また図４Ｂはオープン位置にあるフラッシュ１０を示す。注意すべきは、本発明の他の実施形態においては、スイッチ８０とリブアーム１０ｅが省略されており、他の方法を以てフラッシュ１０の位置変化を感測する点である。
【００２２】
続いて、フラッシュモジュール１の開閉過程全体について説明する。図５Ａと図５Ｂは上述の実施形態フラッシュモジュール１の主要部材をそれぞれ示す、クローズ状態とオープン状態の側視図であり、ここではより明確に図示する為に、ベース２０は省略してある。
【００２３】
同時に図２、図５Ａ及び図５Ｂに示すフラッシュ１０がクローズ位置にある時、電磁弁３０は導電しておらずクローズ状態にあり、また電磁弁３０の磁石はスライド部３０ａに対し磁力を加えている。この磁力は第一トーションスプリング４０がスライド部３０ａを連動させる正のｙ軸方向への力よりも大きく、そのためスライド部３０ａを電磁弁３０内に固定でき、図５Ａのクローズ位置のようになる。影像撮影装置がフラッシュ１０のクローズ位置からオープン位置への転換を決定すると、電磁弁３０は瞬時に導通し、スライド部３０ａに加えられる磁力は打ち消され消失し、このため第一トーションスプリング４０はピボット６０ｄを連動させてスライド部３０ａとプッシュ部５０と共に正のｙ軸方向へ移動させる。この時ピボット６０ｄは正のｙ軸方向へ移動しフック６０全体を連動させ、第二心棒６０ｂを中心に、ｘｙ平面上を時計回りに旋回させ、フック６０のフック部６０ａを窪み１０ｂから外させフラッシュ１０から外させる。この時、第二トーションスプリング７０を拘束する力は消失し、フラッシュ１０に第一心棒１０ｄを中心に、ｘｙ平面上を時計回りにある角度まで旋回させる。具体的には、角度は４５度であるが、但しこの角度に限られるわけではない。
【００２４】
図５Ａに示す、ユーザーがフラッシュ１０を閉める時は、手動でフラッシュ１０を下方に押し、また下方への圧力が第二トーションスプリング７０の正のｙ軸方向への力より大きければ、フラッシュ１０の下辺はプッシュ部５０に当接され、プッシュ部５０に導槽５０ａを経由させスライド部３０ａを連動させて負のｙ軸方向へ移動させ、クローズ位置まで戻し、また再び電磁弁３０内の磁石の磁力により吸着される。このほか、スライド部３０ａはピボット６０ｄを連動させて負のｙ軸方向へ移動させ、フック６０を第二心棒６０ｂを中心に、ｘｙ平面上で時計の逆回りに旋回させ、フック部６０ａを窪み１０ｂに嵌入させフラッシュ１０をクローズ位置に固定させる。
【００２５】
即ち、本実施形態では、フラッシュ１０はｘｙ平面上では時計回りに４５度旋回し起動する。他の実施形態では、他の旋回角度でも良い。図６Ａと図６Ｂは本実施形態のフラッシュ１０の旋回角度の制御方法を示し、ここでは図６Ａはフラッシュモジュール１の正面図であり、図６Ｂは図６ＡのＡ−Ａ’方向の断面図である。同時に図６Ａと図６Ｂに示すフラッシュ１０は停止部１０ｆをさらに含み、またベース２０は側壁２０ｅをさらに含む。フラッシュ１０がｘｙ平面上を時計回りに旋回する時、停止部１０ｆは連動して旋回し、側壁２０ｅへ当接した後停止する。このほか、本発明の他の実施形態では、他の弾性部
材を前述の第一トーションスプリング４０と第二トーションスプリング７０の代用としても良い。
【００２６】
図７は本発明に係る他の実施形態の影像撮影装置を図示する。前述のフラッシュモジュール１を応用し、ここではフラッシュモジュール１のオープン状態を図示する。本実施形態の影像撮影装置は、限定されるわけでは無いが、デジタルカメラ或いはデジタルビデオカメラであり、本例においてはデジタルカメラである。フラッシュモジュール１以外に、影像撮影装置は光感知器２、演算ユニット(図示せず)、レンズモジュール３、シャッターボタン４をさらに含む。
【００２７】
図７は、例を挙げれば、ユーザーが写真撮影を行う時、シャッターボタン４を半押しし、影像撮影装置によりフォーカス作業を行い、演算ユニットは同時に光感知器２により環境光の明度を測り、環境光の明度によりフラッシュモジュール１を起動すべきか判断し、環境光の明度を増加させる。具体的には、環境光の明度が予め設定された値を超えたかを判断基準とし、超えたと判断すれば、演算ユニットは環境光の明度を根拠に閃光するよう命令し、フラッシュモジュール１内部の各部材は前述の一連の動作を行い、フラッシュ１０を影像撮影装置からポップアップさせる。フラッシュ１０がオープン位置までポップアップすると、前述のスイッチ８０は位置確認信号を演算ユニットに返し、また演算ユニットは同時にフラッシュ１０へ充電命令を出す。フラッシュ１０の充電が完了すると、ユーザーは撮影を行うためにシャッターボタン４を全押しし、フラッシュ１０は即閃光を発し、また光感知器２は影像を撮影する。撮影が終了すると、ユーザーは手動でフラッシュ１０を下方へ押し、前述の過程のようにフラッシュ１０は収納空間２０ａへ収納される。ここでは光感知器２は光電転換ユニットであり、相似する光信号を感測し光信号をデジタル電気信号へ転換し、特に電荷結合素子（Charge-coupled Device、 CCD）或いは相補型金属酸化膜半導体（Complementary Metal-Oxide-Semiconductor、 CMOS）等があるが、但しこれらには限られない。
【００２８】
以上が、本発明に係る実施形態が提供する内蔵式フラッシュモジュールであり、極少量の部材で、フラッシュの開閉を完成させ、また、応用される影像撮影装置については、各部材の接続関係は垂直方向となり、このため、有効的に影像撮影装置の厚さを減少でき、サイズの最小化の目的を達する。
【００２９】
上述の実施形態は本発明の技術思想及び特徴を説明するためのものにすぎず、当技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００３０】
１      フラッシュモジュール
２      光感知器
３      レンズモジュール
４      シャッターボタン
１０    フラッシュ
１０ａ  マガジン
１０ｂ  窪み
１０ｃ  軸孔
１０ｄ  第一心棒
１０ｅ  リブアーム
１０ｆ  停止部
１０ｇ  第二凹型槽
２０    ベース
２０ａ  収納空間
２０ｂ  開口部
２０ｃ  リブ
２０ｄ  リブ孔
２０ｅ  側壁
２０ｆ  凸型軸
２０ｇ  凸型ブロック
２０ｈ  第一凹型槽
３０    電磁弁
３０ａ  スライド部
３０ｂ  孔部
４０    第一トーションスプリング
４０ａ  第一端
４０ｂ  第二端
５０    プッシュ部
５０ａ  導槽
６０    フック
６０ａ  フック部
６０ｂ  第二心棒
６０ｃ  軸孔
６０ｄ  ピボット
７０    第二トーションスプリング
７０ａ  第三端
７０ｂ  第四端
８０    スイッチ
８０ａ  アーム
【図１Ａ】
0005398765.tif 000002
【図１Ｂ】
0005398765.tif 000003
【図２】
0005398765.tif 000004
【図３Ａ】
0005398765.tif 000005
【図３Ｂ】
0005398765.tif 000006
【図３Ｃ】
0005398765.tif 000007
【図４Ａ】
0005398765.tif 000008
【図４Ｂ】
0005398765.tif 000009
【図５Ａ】
0005398765.tif 000010
【図５Ｂ】
0005398765.tif 000011
【図６Ａ】
0005398765.tif 000012
【図６Ｂ】
0005398765.tif 000013
【図７】
0005398765.tif 000014